(57)【要約】【課題】  金属アレルギー等の肌荒れを防止するとともに、全体の重量を軽くして鼻や耳等に圧迫による痛みが生じるのを防止する。【解決手段】  超弾性樹脂からなる基材３と、基材３の表面の少なくとも一部に積層されて、基材３の表面の少なくとも一部を遮蔽する塗装層４とによってメガネフレーム用部品１を構成し、このメガネフレーム用部品１をテンプルとしてメガネフレームを構成する。耳に接触するテンプルの部分は、基材３の表面に塗装層４を積層したものであるので、テンプルに接触する耳の部分に金属アレルギー等の肌荒れを起こす心配はない。テンプルを構成する基材３は、超弾性樹脂から形成されているので、細くしても従来の樹脂製のテンプルと同様の強度が得られ、メガネフレーム全体の重量を軽くすることができ、鼻や耳に圧迫による痛みが生じるのを防止できる。【選択図】        図２
2006047468.tif 000002
【特許請求の範囲】
【請求項１】
超弾性樹脂からなる基材と、該基材の表面の少なくとも一部に積層されて、該基材の表面の少なくとも一部を遮蔽する塗装層とを備えてなることを特徴とするメガネフレーム用部品。
【請求項２】
前記塗装層は、メタリック塗装からなることを特徴とする請求項１に記載のメガネフレーム用部品。
【請求項３】
前記塗装層の表面の一部に印刷により文字、模様等からなる印刷層を積層したことを特徴とする請求項２に記載のメガネフレーム用部品。
【請求項４】
少なくとも前記印刷層の表面に透過性を有する素材からなる被覆層を積層したことを特徴とする請求項３に記載のメガネフレーム用部品。
【請求項５】
超弾性樹脂からなる基材と、該基材の表面の少なくとも一部に積層されて、該基材の表面の少なくとも一部を遮蔽する金属微粒子からなる金属層と、該金属層の表面に積層されるとともに、該金属層を透過させる素材からなる塗装層とを備えてなることを特徴とするメガネフレーム用部品。
【請求項６】
前記塗装層の表面の一部に印刷により文字、模様等からなる印刷層を積層したことを特徴とする請求項５に記載のメガネフレーム用部品。
【請求項７】
少なくとも前記印刷層の表面に透過性を有する素材からなる塗装層を積層したことを特徴とする請求項６に記載のメガネフレーム用部品。
【請求項８】
前記基材は、透過性を有する超弾性樹脂からなることを特徴とする請求項１から７の何れかに記載のメガネフレーム用部品。
【請求項９】
リム、ブリッジ、ヨロイ、テンプル等の複数の部品からなるメガネフレームであって、前記複数の部品のうちの少なくとも一つの部品を請求項１から８に記載のメガネフレーム用部品で構成したことを特徴とするメガネフレーム。
【発明の詳細な説明】
【技術分野】
【０００１】
本発明は、メガネフレーム用部品及びメガネフレームに関する。
【背景技術】
【０００２】
従来、視力矯正用のレンズ、紫外線遮蔽用のレンズ等を保持するメガネフレームとして、金属製の複数の部品を組み合わせて構成したメガネフレーム、樹脂製の複数の部品を組み合わせて構成したメガネフレーム、金属製の複数の部品と樹脂製の複数の部品とを組み合わせて構成したメガネフレーム等の各種のメガネフレームが知られている（例えば、特許文献１参照。）。
【０００３】
このようなメガネフレームは、一対の環状のリムと、リムの内縁部間を連結する棒状のブリッジと、各リムの外縁部に連結される略Ｌ形状のヨロイと、各ヨロイに蝶番を介して回動自在に連結されるテンプル等の複数の部品を備え、各リムの内側に各種のレンズを装着することにより、所謂メガネとして機能させることができるものである。
【特許文献１】特開平７−２３４３８４号公報
【発明の開示】
【発明が解決しようとする課題】
【０００４】
ところで、上記のような各種のメガネフレームのうち、各部品を金属で形成したメガネフレームは、各部品を細く、軽くしても十分な強度が得られるので、快適な装着性が得られるが、金属が直接肌に触れるため、人によっては金属が接触する部分に金属アレルギー等の肌荒れを引き起こす虞がある。
【０００５】
一方、各部品を樹脂で形成したメガネフレームは、各部品が直接肌に触れても金属製のメガネフレームのような肌荒れを引き起こすことはないが、強度を持たせるために各部品を太く形成しなければならないために全体が重くなり、メガネフレームを支える鼻、耳等の部分が強く圧迫され、その部分に痛みが生じる虞がある。
【０００６】
さらに、樹脂製の部品と金属製の部品とを組み合わせたメガネフレームは、金属製の部品を耳、鼻等に接触する部分に使用することにより、全体を金属で形成したメガネフレームと同様の問題が生じ、また樹脂製の部品を耳、鼻等に接触する部分に使用することにより、全体を樹脂で形成したメガネフレームと同様の問題が生じることになる。
【０００７】
本発明は、上記のような従来の問題を解決したものであって、耳や鼻等のメガネフレームに接触する部分に金属アレルギー等の肌荒れを起こす虞が全くなく、また、メガネフレームの重みを支える鼻や耳等の部分が強く圧迫されて痛みが生じる虞がなく、快適な装着性が得られるメガネフレーム用部品及びメガネフレームを提供することを目的とするものである。
【課題を解決するための手段】
【０００８】
上記のような課題を解決するために、本発明の請求項１に係るメガネフレーム用部品は、超弾性樹脂からなる基材と、該基材の表面の少なくとも一部に積層されて、該基材の表面の少なくとも一部を遮蔽する塗装層とを備えてなる手段を採用している。
【０００９】
また、本発明の請求項２に係るメガネフレーム用部品は、請求項１に記載のメガネフレーム用部品であって、前記塗装層は、メタリック塗装からなる手段を採用している。
【００１０】
さらに、本発明の請求項３に係るメガネフレーム用部品は、請求項２に記載のメガネフレーム用部品であって、前記塗装層の表面の一部に印刷により文字、模様等からなる印刷層を積層した手段を採用している。
【００１１】
さらに、本発明の請求項４に係るメガネフレーム用部品は、請求項３に記載のメガネフレーム用部品であって、少なくとも前記印刷層の表面に透過性を有する素材からなる被覆層を積層した手段を採用している。
【００１２】
さらに、本発明の請求項５に係るメガネフレーム用部品は、超弾性樹脂からなる基材と、該基材の表面の少なくとも一部に積層されて、該基材の表面の少なくとも一部を遮蔽する金属微粒子からなる金属層と、該金属層の表面に積層されるとともに、該金属層を透過させる素材からなる塗装層とを備えてなる手段を採用している。
【００１３】
さらに、本発明の請求項６に係るメガネフレーム用部品は、請求項５に記載のメガネフレーム用部品であって、前記塗装層の表面の一部に印刷により文字、模様等からなる印刷層を積層した手段を採用している。
【００１４】
さらに、本発明の請求項７に係るメガネフレーム用部品は、請求項６に記載のメガネフレーム用部品であって、少なくとも前記印刷層の表面に透過性を有する素材からなる塗装層を積層した手段を採用している。
【００１５】
さらに、本発明の請求項８に係るメガネフレーム用部品は、請求項１から７の何れかに記載のメガネフレーム用部品であって、前記基材は、透過性を有する超弾性樹脂からなる手段を採用している。
【００１６】
さらに、本発明の請求項９に係るメガネフレームは、リム、ブリッジ、ヨロイ、テンプル等の複数の部品からなるメガネフレームであって、前記複数の部品のうちの少なくとも一つの部品を請求項１から８に記載のメガネフレーム用部品で構成した手段を採用している。
【発明の効果】
【００１７】
本発明のメガネフレーム用部品は、前記のように構成したことにより、従来のメガネフレーム用部品よりも細く形成しても十分な強度が得られることになる。従って、本発明のメガネフレーム用部品を用いて本発明によるメガネフレームを構成することにより、メガネフレーム全体の重量を軽くすることができるので、メガネフレームの重みを支える鼻、耳等の部分が強く圧迫されてその部分に痛みが生じるようなことはなく、長時間に渡って快適な装着性が得られることになる。
さらに、肌に接触する部分に本発明によるメガネフレーム用部品を使用することにより、金属アレルギー等の肌荒れが生じる虞が全くなく、快適な装着性が得られることになる。
さらに、金属層の表面に文字、模様等からなる印刷層が積層されているので、装飾的効果を高めることもできる。
さらに、文字、模様等の印刷層の表面に透過性を有する素材からなる被覆層を積層することにより、印刷層を構成する文字、模様等が浮き上がるような雰囲気が得られることになり、これによっても装飾的効果を高めることができる。
さらに、基材を透過性を有する超弾性樹脂によって構成することにより、基材の表面にメタリック塗装からなる塗装層が積層されている部分、又は基材の表面に金属微粒子からなる金属層が積層されている部分においては、基材の表面が遮蔽され、積層されていない部分においては基材の表面が透過されることになるので、金属パイプの内側に基材を一体に成形したような雰囲気が得られる。
【発明を実施するための最良の形態】
【００１８】
以下、図面に示す本発明の実施の形態について説明する。
図１〜図３には、本発明によるメガネフレーム用部品及びメガネフレームの第１の実施の形態が示されていて、図１はメガネフレーム用部品を示す斜視図、図２は図１のＡ−Ａ断面図、図３はメガネフレームを示す斜視図、図４及び図５はメガネフレーム用部品の変形例を示す断面図である。
【００１９】
すなわち、この実施の形態に示すメガネフレーム用部品１は、メガネフレームを構成する複数の部品のうちのテンプル２に適用したものであって、図１及び図２に示すように、超弾性樹脂からなる棒状の基材３と、基材３の表面の少なくとも一部に積層されて、基材３の表面の少なくとも一部を遮蔽する塗装層４とから構成されている。
【００２０】
基材３を構成する超弾性樹脂は、弾性を有するとともに、強度が高い樹脂であって、例えば、ポリアミド、ポリイミド、ポリエーテルイミド、ポリエステル、ポリカーボネート、ポリスルフィドポリマー、ポリスルフォン、ポリエーテル・エーテルケトン等の単体からなるエンジニアプラスチック、これらのうちの２つ以上を組み合わせてなるエンジニアリングプラスチック等が挙げられる。超弾性樹脂は、透過性を有するものが好ましいが、透過性を有さないものであっても良い。
【００２１】
塗装層４は、基材３の表面に所定の厚みのメタリック塗装等の金属調の塗装を施すことにより基材３の表面に積層したものであって、塗装層４が設けられる基材３の表面の部分は塗装層４によって遮蔽される。
【００２２】
この実施の形態においては、図２に示すように、基材３の表面のうち、１面及びそれに連続する両角部を除いた連続する３面に所定の厚みで塗装層４を積層している。従って、断面Ｕ形状の金属パイプの内側に基材３を一体に成形したような雰囲気が得られる。
【００２３】
メガネフレーム用部品１であるテンプル２の一端部には円板状の可動片１９が突出した状態で一体に設けられ、この可動片１９と後述するヨロイ１５の他端部に一体に設けられる固定片２０と、可動片１９と固定片２０とを相対的に回動自在に連結するねじ２１によって蝶番１８が構成される。可動片１９をテンプル２に一体に設けるには、可動片１９の端部とテンプル２とを一体に成形する方法、テンプル２に可動片１９の端部を埋め込む方法等が挙げられる。但し、これに限定することなく、可動片１９をテンプル２の端部に一体に設けることができるものであれば良い。
【００２４】
そして、上記のように構成したメガネフレーム用部品１であるテンプル２をメガネフレームのヨロイに前述した蝶番１８を介して回動自在に取り付けることにより、本発明によるメガネフレームが構成される。
【００２５】
本発明によるメガネフレーム１１は、図３に示すように、所定の間隔をおいて設けられる一対の環状のリム１３、１３と、両リム１３、１３の内縁部間を連結する棒状のブリッジ１４と、各リム１３の外縁部に連結される略Ｌ形状のヨロイ１５とからなるフロント部１２と、フロント部１２の各ヨロイ１５に蝶番１８を介して回動自在に連結される本発明のメガネフレーム用部品１であるテンプル２とを備えている。
【００２６】
フロント部１２の各リム１３、ブリッジ１４、及びヨロイ１５はそれぞれ所望の金属から形成され、各ヨロイ１５に蝶番１８を介してそれぞれテンプル２が回動自在に取り付けられ、各リム１３の内縁部にパッド足１６を介してノーズパッド１７が取り付けられ、各リム１３の内側に視力矯正用、紫外線遮蔽用等のレンズ（図示せず）が装着される。
【００２７】
上記のように構成したこの実施の形態によるメガネフレーム用部品１をテンプル２に備えたメガネフレーム１１にあっては、テンプル２は、超弾性樹脂からなる基材３と、基材３の表面に積層されるメタル塗装からなる塗装層４とから構成されているので、細く形成しても、従来の樹脂製のテンプルと同様の強度が得られることになる。
【００２８】
従って、メガネフレーム１１全体の重量を軽くすることができるので、長時間使用しても、メガネフレーム１１の重みを支える鼻や耳の部分が強く圧迫されて痛みが生じるようなことはなく、快適な装着性が得られることになる。
【００２９】
また、肌に金属が直接接触することがないので、金属アレルギー等の肌荒れを起こす虞は全くなく、これによっても快適な装着性が得られることになる。
【００３０】
なお、上記の説明においては、メガネフレーム１１のテンプル２に本発明によるメガネフレーム用部品１を適用したが、リム１３、ブリッジ１４、ヨロイ１５等に本発明によるメガネフレーム用部品１を適用しても良いし、その場合にも同様の作用効果を奏する。
【００３１】
図４には、第１の実施の形態のメガネフレーム用部品１の変形例が示されていて、このメガネフレーム用部品１は、塗装層４の表面にスクリーン印刷等によって文字、模様等の印刷層５を積層したものであって、その他の構成は図１及び図２に示すものと同様である。
【００３２】
そして、この変形例によるメガネフレーム用部品１をテンプルとして用いたメガネフレーム（図示せず）にあっても、図３に示すメガネフレーム１１と同様に、断面Ｕ形状の金属パイプの内側に基材３を一体に成形したような雰囲気が得られる。
【００３３】
また、メガネフレーム用部品１であるテンプル２を、超弾性樹脂からなる基材３と、基材３の表面に積層されるメタル塗装からなる塗装層４とによって構成しているので、細く形成しても、従来の樹脂製のテンプルと同様の強度が得られることになる。従って、メガネフレーム（図示せず）全体の重量を軽くすることができるので、長時間使用しても、メガネフレームの重みを支える鼻や耳の部分が強く圧迫されて痛みが生じるようなことはなく、快適な装着性が得られることになる。
【００３４】
さらに、肌に金属が直接接触することがないので、金属アレルギー等の肌荒れを起こす虞は全くなく、これによっても快適な装着性が得られることになる。
【００３５】
さらに、塗装層４の表面に文字、図形等からなる印刷層５を積層しているので、装飾的効果を高めることもできる。
【００３６】
図５には、第１の実施の形態のメガネフレーム用部品の他の変形例が示されていて、このメガネフレーム用部品１は、塗装層４の表面にスクリーン印刷等の印刷方法によって文字、模様等の印刷層５を積層するとともに、その上部に透過性を有する素材からなる被覆層６を積層したものであって、その他の構成は図１及び図２に示すものと同様である。被覆層６としては、樹脂系の塗装等が挙げられる。なお、被覆層６は、印刷層５及び塗装層４の上部の全体に積層しても良いし、印刷層５の上部のみに積層しても良い。
【００３７】
そして、この変形例によるメガネフレーム用部品１をテンプルとして用いたメガネフレーム（図示せず）にあっても、図３に示すものと同様に、断面Ｕ形状の金属パイプの内側に基材３を一体に成形したような雰囲気が得られる。
【００３８】
また、メガネフレーム用部品１であるテンプルを、超弾性樹脂からなる基材３と、基材３の表面に積層されるメタル塗装からなる塗装層４とによって構成しているので、細く形成しても、従来の樹脂製のテンプルと同様の強度が得られることになる。従って、メガネフレーム（図示せず）全体の重量を軽くすることができるので、長時間使用しても、メガネフレームの重みを支える鼻や耳の部分が強く圧迫されて痛みが生じるようなことはなく、快適な装着性が得られることになる。
【００３９】
さらに、肌に金属が直接接触することがないので、金属アレルギー等の肌荒れを起こす虞は全くなく、これによっても快適な装着性が得られることになる。
【００４０】
さらに、塗装層４の表面に文字、模様等からなる印刷層５を積層し、しかもその表面に透過性を有する素材からなる被覆層６を積層しているので、文字、模様等からなる印刷層５を浮き上がらせるような装飾的効果も得られる。
【００４１】
図６には、本発明によるメガネフレーム用部品の第２の実施の形態が示されていて、このメガネフレーム用部品１は、基材３の表面に金属微粒子からなる金属層７を所定の厚みで積層し、その表面に透過性を有する素材からなる塗装層８を所定の厚みで積層したものであって、その他の構成は前記第１の実施の形態（図１〜図３に示すもの）と同様である。
【００４２】
この場合、金属層７を積層する基材３の表面の部分は赤外線照射等によって荒らされて凹凸面に形成され、金属微粒子を付着し易くしている。また、金属層７を構成する金属微粒子は、特に制限はなく、例えば、アルミニューム、金、銀、銅、チタン、ステンレス等の微粒子が挙げられる。さらに、塗装層８を構成する素材としては、透明又は半透明の樹脂系の塗料等が挙げられる。
【００４３】
そして、この実施の形態によるメガネフレーム用部品１にあっても、メガネフレームのテンプルとして使用した場合に、前記第１の実施の形態に示すものと同様に、基材３の表面の金属層７の存在により、金属パイプの内側に基材３を一体に成形したような雰囲気が得られる。
【００４４】
また、メガネフレーム用部品１であるテンプルを、超弾性樹脂からなる基材３と、基材３の表面に積層される金属微粒子からなる金属層７とによって構成しているので、細く形成しても、従来の樹脂製のテンプルと同様の強度が得られることになる。従って、メガネフレーム全体の重量を軽くすることができるので、長時間使用しても、メガネフレームの重みを支える鼻や耳の部分が強く圧迫されて痛みが生じるようなことはなく、快適な装着性が得られることになる。
【００４５】
さらに、肌に金属が直接接触することがないので、金属アレルギー等の肌荒れを起こす虞は全くなく、これによっても快適な装着性が得られることになる。
【００４６】
図７には、第２の実施の形態によるメガネフレーム用部品の変形例が示されていて、このメガネフレーム用部品１は、塗装層８の表面に文字、模様等からなる印刷層９を積層したものであって、その他の構成は図６に示すものと同様である。
【００４７】
そして、このメガネフレーム用部品１にあっても、メガネフレームのテンプルとして用いた場合に、前記第１の実施の形態に示すものと同様に、基材３の表面の金属層７の存在により、金属パイプの内側に基材３を一体に成形したような雰囲気が得られる。
【００４８】
また、メガネフレーム用部品１であるテンプルを、超弾性樹脂からなる基材３と、基材３の表面に積層される金属微粒子からなる金属層７とによって構成しているので、細く形成しても、従来の樹脂製のテンプルと同様の強度が得られることになる。従って、メガネフレーム全体の重量を軽くすることができるので、長時間使用しても、メガネフレームの重みを支える鼻や耳の部分が強く圧迫されて痛みが生じるようなことはなく、快適な装着性が得られることになる。
【００４９】
さらに、肌に金属が直接接触することがないので、金属アレルギー等の肌荒れを起こす虞は全くなく、これによっても快適な装着性が得られることになる。
【００５０】
さらに、塗装層８の上部に文字、模様等の印刷層９を積層しているので、装飾的効果を高めることもできる。
【００５１】
図８には、第２の実施の形態のメガネフレーム用部品の他の変形例が示されていて、このメガネフレーム用部品１は、印刷層９の表面に透過性を有する素材からなる被覆層１０を所定の厚みで積層したものであって、その他の構成は図７に示すものと同様である。被覆層１０の素材としては、透明又は半透明の樹脂系の塗料等が挙げられる。
【００５２】
そして、この変形例に示すメガネフレーム用部品１にあっても、メガネフレームのテンプルとして用いた場合に、前記第１の実施の形態に示すものと同様に、基材３の表面の金属層７の存在により、金属パイプの内側に基材３を一体に成形したような雰囲気が得られる。
【００５３】
また、メガネフレーム用部品１であるテンプルを、超弾性樹脂からなる基材３と、基材３の表面に積層される金属微粒子からなる金属層７とによって構成しているので、細く形成しても、従来の樹脂製のテンプルと同様の強度が得られることになる。従って、メガネフレーム全体の重量を軽くすることができるので、長時間使用しても、メガネフレームの重みを支える鼻や耳の部分が強く圧迫されて痛みが生じるようなことはなく、快適な装着性が得られることになる。
【００５４】
さらに、肌に金属が直接接触することがないので、金属アレルギー等の肌荒れを起こす虞は全くなく、これによっても快適な装着性が得られることになる。
【００５５】
さらに、塗装層８の上部に文字、模様等の印刷層９を積層し、しかもその表面を透過性を有する素材からなる被覆層１０で被覆しているので、文字、模様等を浮き上がらせるような装飾的効果が得られる。
【００５６】
なお、前記各実施の形態においては、本発明によるメガネフレーム用部品を所謂フルリムタイプのメガネフレームのテンプルに適用したが、ハーフリムタイプ、ツーポイントタイプ、ナイロールタイプ等、他の何れのタイプのメガネフレームのテンプルに適用しても良いものであり、その場合にも同様の作用、効果を奏するものである。
【図面の簡単な説明】
【００５７】
【図１】本発明によるメガネフレーム用部品の第１の実施の形態を示した斜視図である。
【図２】図１のＡ−Ａ断面図である。
【図３】本発明によるメガネフレームの第１の実施の形態を示した斜視図である。
【図４】第１の実施の形態のメガネフレーム用部品の変形例を示した断面図である。
【図５】第１の実施の形態のメガネフレーム用部品の他の変形例を示した断面図である。
【図６】本発明によるメガネフレーム用部品の第２の実施の形態を示した断面図である。
【図７】第２の実施の形態のメガネフレーム用部品の変形例を示した断面図である。
【図８】第２の実施の形態のメガネフレーム用部品の他の変形例を示した断面図である。
【符号の説明】
【００５８】
１  メガネフレーム用部品
２  テンプル
３  基材
４、８  塗装層
５、９  印刷層
６、１０  被覆層
７  金属層
１１  メガネフレーム
１２  フロント部
１３  リム
１４  ブリッジ
１５  ヨロイ
１６  パッド足
１７  ノーズパッド
１８  蝶番
１９  可動片
２０  固定片
２１  ねじ
【図１】
2006047468.tif 000003
【図２】
2006047468.tif 000004
【図３】
2006047468.tif 000005
【図４】
2006047468.tif 000006
【図５】
2006047468.tif 000007
【図６】
2006047468.tif 000008
【図７】
2006047468.tif 000009
【図８】
2006047468.tif 000010